(57)【要約】【課題】小型化、軽量化を図りつつ、難聴者にも音声が聞きやすい無線電話装置およびその消費電流制御方法を提供する。【解決手段】電波を送信する送信部２と、電波を受信する受信部３と、送信部２が消費する電流と受信部３が消費する電流との差を消費する第１の負荷回路４と、送信部２を動作させる送信部有効信号と、受信部３を動作させる受信部有効信号と、第１の負荷回路４を動作させる第１の負荷有効信号とを生成する機能を有する制御部５とを備え、制御部５は、送信部有効信号が無効となる期間に、受信部有効信号および負荷有効信号を有効とする。そうすることで、消費電流の時間的変化を抑制することができるので、消費電流の時間的変化に応じた磁界の発生を抑えることができる。【選択図】図１
2006050054.tif 000002
【特許請求の範囲】
【請求項１】
電波を送信する送信部と、前記送信部を動作させる送信部有効信号を生成する制御部とを有する無線電話装置において、
前記制御部は、前記送信部有効信号が無効となる期間に、前記送信部が消費する電流と同じ消費電流となるように、他の回路を動作させる信号を有効として生成する機能を備えたことを特徴とする無線電話装置。
【請求項２】
前記制御部は、前記送信部が消費する電流と、前記他の回路が消費する電流とのそれぞれの消費量が略５０％となるタイミングが同じとなるように、前記送信部有効信号と前記他の回路を動作させる信号とを調整して生成する機能を備えたことを特徴とする請求項１記載の無線電話装置。
【請求項３】
前記他の回路は、電波を受信する受信部と、前記送信部が消費する電流と前記受信部が消費する電流との差を消費する第１の負荷回路とで構成され、
前記制御部は、前記受信部を動作させる受信部有効信号と、前記第１の負荷回路を動作させる第１の負荷有効信号とを生成する機能を有し、前記送信部有効信号が無効となる期間に、前記受信部有効信号および前記負荷有効信号を有効とする機能を備えたことを特徴とする請求項１または２記載の無線電話装置。
【請求項４】
前記第１の負荷回路は、電流を消費する抵抗と、前記第１の負荷有効信号が有効のときに前記抵抗へ電流を流すスイッチング素子とで構成されていることを特徴とする請求項３記載の無線電話装置。
【請求項５】
前記他の回路は、電波を受信する受信部と、前記送信部が消費する電流と同じ電流を消費する第２の負荷回路と、前記送信部が消費する電流と前記受信部が消費する電流との差を消費する第３の負荷回路とで構成され、
前記制御部は、前記受信部を動作させる受信部有効信号と、前記第２の負荷回路を動作させる第２の負荷有効信号と、前記第３の負荷回路を動作させる第３の負荷有効信号とを生成する機能を備え、前記送信部有効信号が無効となる期間に、前記受信部有効信号と、前記第２の負荷有効信号と、前記第３の負荷有効信号とを有効とする機能を備えたことを特徴とする請求項１または２記載の無線電話装置。
【請求項６】
前記送信部と前記他の回路とが搭載される基板は、前記送信部に隣接させて前記他の回路が配置されていることを特徴とする請求項１から５のいずれかの項に記載の無線電話装置。
【請求項７】
電波を送信する送信部と、前記送信部を動作させる送信部有効信号を生成する制御部とを有する無線電話装置の消費電流制御方法において、
前記制御部が、前記送信部有効信号を無効とする期間に、前記送信部が消費する電流と同じ消費電流となるように、他の回路を動作させる信号を有効とすることを特徴とする無線電話装置の消費電流制御方法。
【請求項８】
前記制御部が、前記送信部が消費する電流と、前記他の回路が消費する電流とのそれぞれの消費量が略５０％となるタイミングが同じとなるように、前記送信部有効信号と前記他の回路を動作させる信号とを調整することを特徴とする請求項６記載の無線電話装置の消費電流制御方法。
【請求項９】
前記制御部が、前記他の回路として、電波を受信する受信部と、前記送信部が消費する電流と前記受信部が消費する電流との差を消費する第１の負荷回路とに対し、前記受信部を
動作させる受信部有効信号と、前記第１の負荷回路を動作させる第１の負荷有効信号とを生成し、前記送信部有効信号が無効となる期間に、前記受信部有効信号および前記負荷有効信号を有効とすることを特徴とする請求項７または８記載の無線電話装置の消費電流制御方法。
【請求項１０】
前記制御部が、前記他の回路として、電波を受信する受信部と、前記送信部が消費する電流と同じ電流を消費する第２の負荷回路と、前記送信部が消費する電流と前記受信部が消費する電流との差を消費する第３の負荷回路とに対し、前記受信部を動作させる受信部有効信号と、前記第２の負荷回路を動作させる第２の負荷有効信号と、前記第３の負荷回路を動作させる第３の負荷有効信号とを生成し、前記送信部有効信号が無効となる期間に、受信部有効信号と、前記第２の負荷有効信号と、前記第３の負荷有効信号とを有効とすることを特徴とする請求項７または８記載の無線電話装置の消費電流制御方法。
【発明の詳細な説明】
【技術分野】
【０００１】
本発明は、音声やデータの通信を電波による送受信で行い、難聴者が使用する補聴器に備えられたピックアップコイルと磁気結合するためのボイスコイルを備えた無線電話装置およびその消費電流制御方法に関する。
【背景技術】
【０００２】
無線電話装置に限らず有線電話装置などに、難聴者のためにボイスコイルが設けられたものがある。電話装置は、このボイスコイルに音声に応じた電流を流すことで磁界を発生させることができる。一方、難聴者が使用する補聴器には、ピックアップコイルが備えられたものがある。このピックアップコイルと電話装置に設けられたボイスコイルとが磁気結合して、電話装置からの音声を補聴器に伝える。そうすることで、マイクで音声を拾う補聴器と異なり、周囲の雑音の影響を受けることなく電話装置からの音声を伝えることができる。
【０００３】
無線電話装置は、広域で使用する携帯電話装置であれば中継基地局と、宅内で使用するコードレス電話装置であれば親機と子機間で電波を送受信することで、音声やデータの伝送が行われる。
【０００４】
無線電話装置の一例である携帯電話装置は、無線通信を行うための送信部と、受信部とを備えている。送信部は基地局へ電波を送信するための回路であり、送信するときに大量の電流が電源である電池から流れ込む。また、受信部は基地局からの電波を受信するための回路であり、受信するときに電流が流れる。この流れ込む電流の時間的変化により、送信部または受信部回路周辺から磁界が発生する。
【０００５】
この磁界の変化は、携帯電話装置が、基地局へ電波を送信する期間となる送信スロットと、基地局が電波を送信する期間となる受信スロットとで構成される時分割スロット方式で送受信をするものであれば、時分割スロットの周期ごとに発生する。
【０００６】
従って、時分割スロットの周期ごとに発生するノイズである磁界が補聴器に設けられたピックアップコイルと磁気結合して、時分割スロットの周期のハム音となって音声に重畳する。このハム音は、難聴者にとっては非常に音声を聞きづらくするものである。特に、電波の元となる信号を増幅する増幅器が電流を多く消費するので、送信スロットにおいての電流の時間的変化は大きく、それに応じて磁界の発生も大きくなる。
【０００７】
このような時間的に変動する磁界の影響を抑制した無線電話装置が特許文献１に記載されている。特許文献１に記載の無線電話装置は、送信部に並列に接続された平滑コンデンサを備えたものである。この平滑コンデンサから送信部へ電流を供給することで電流の急峻な変動を抑制して磁界発生を低減させている。
【特許文献１】特表２００１−５１９１００号公報
【発明の開示】
【発明が解決しようとする課題】
【０００８】
特許文献１に記載の無線電話装置に用いられる平滑コンデンサは、時分割スロットの期間よりも長い時定数を有するものでなければならないので、比較的容量の大きなコンデンサとなる。無線電話装置は、持ち運びが容易なように小型化、軽量化が望まれており、回路部品の実装スペースも確保することが困難な状況である。従って、容量の大きな平滑コンデンサは搭載することが困難である。
【０００９】
そこで本発明は、小型化、軽量化を図りつつ、難聴者にも音声が聞きやすい無線電話装置を提供すること目的とする。
【課題を解決するための手段】
【００１０】
本発明の無線電話装置は、電波を送信する送信部と、前記送信部を動作させる送信部有効信号を生成する制御部とを有する無線電話装置において、前記制御部は、前記送信部有効信号が無効となる期間に、前記送信部が消費する電流と同じ消費電流となるように、他の回路を動作させる信号を有効として生成する機能を備えたことを特徴とする。
【００１１】
また、本発明の無線電話装置の消費電流制御方法は、電波を送信する送信部と、前記送信部を動作させる送信部有効信号を生成する制御部とを有する無線電話装置の消費電流制御方法において、前記制御部が、前記送信部有効信号を無効とする期間に、前記送信部が消費する電流と同じ消費電流となるように、他の回路を動作させる信号を有効とすることを特徴とする。
【発明の効果】
【００１２】
本発明によれば、制御部が、送信部有効信号が無効となる期間に、送信部が消費する電流と同じ消費電流となるように、他の回路を動作させる信号を有効として生成するので、電流消費の時間的変化を抑制することができる。よって、平滑コンデンサのような大きな部品を搭載することなく、難聴者にも音声が聞きやすい無線電話装置とすることができる。
【発明を実施するための最良の形態】
【００１３】
本願の第１の発明は、電波を送信する送信部と、送信部を動作させる送信部有効信号を生成する制御部とを有する無線電話装置において、制御部は、送信部有効信号が無効となる期間に、送信部が消費する電流と同じ消費電流となるように、他の回路を動作させる信号を有効として生成する機能を備えたことを特徴としたものである。
【００１４】
制御部が、送信部有効信号が無効となる期間に、送信部が消費する電流と同じ消費電流となるように、他の回路を動作させる信号を有効として生成するので、送信部と同じ電流量が他の回路により、送信部が動作しないときも消費されるので、電流消費の時間的変化を抑制することができる。従って、平滑コンデンサのような大きな部品を搭載することなく消費電流の時間的変化を抑制することができるので、難聴者にも音声が聞きやすい無線電話装置とすることができる。
【００１５】
本願の第２の発明は、制御部は、送信部が消費する電流と、他の回路が消費する電流とのそれぞれの消費量が略５０％となるタイミングが同じとなるように、送信部有効信号と他の回路を動作させる信号とを調整して生成する機能を備えたことを特徴としたものである。
【００１６】
制御部が、送信部有効信号が有効となり送信部が動作し始めるときと、送信部有効信号が無効となって動作が停止するときの消費電流の遅延に応じて、他の回路を有効または無効とするので、送信部と同じ消費電流となる他の回路との間の消費電流量の時間的なギャップを抑制することができる。
【００１７】
本願の第３の発明は、他の回路は、電波を受信する受信部と、送信部が消費する電流と受信部が消費する電流との差を消費する第１の負荷回路とで構成され、制御部は、受信部を動作させる受信部有効信号と、第１の負荷回路を動作させる第１の負荷有効信号とを生成する機能を有し、送信部有効信号が無効となる期間に、受信部有効信号および負荷有効
信号を有効とする機能を備えたことを特徴としたものである。
【００１８】
送信部と同じ消費電流となる他の回路を、受信部と、送信部の消費電流から受信部の消費電流との差を消費する第１の負荷回路としたことで、送信部と同じ消費電流量となる回路を容易に構成することができる。またダミー回路となる第１の負荷回路の消費する電流量は、受信部の消費電流との合計が、送信部の消費電流となればよいので、第１の負荷回路の消費電流を減らすことができ、発熱を抑制することができる。
【００１９】
本願の第４の発明は、第１の負荷回路は、電流を消費する抵抗と、第１の負荷有効信号が有効のときに抵抗へ電流を流すスイッチング素子とで構成されていることを特徴としたものである。
【００２０】
第１の負荷回路を抵抗とスイッチング素子とで構成することで、実装面積の少ない回路構成とすることができる。
【００２１】
本願の第５の発明は、他の回路は、電波を受信する受信部と、送信部が消費する電流と同じ電流を消費する第２の負荷回路と、送信部が消費する電流と受信部が消費する電流との差を消費する第３の負荷回路とで構成され、制御部は、受信部を動作させる受信部有効信号と、第２の負荷回路を動作させる第２の負荷有効信号と、第３の負荷回路を動作させる第３の負荷有効信号とを生成する機能を備え、送信部有効信号が無効となる期間に、受信部有効信号と、第２の負荷有効信号と、第３の負荷有効信号とを有効とする機能を備えたことを特徴としたものである。
【００２２】
送信部と同じ消費電流となる他の回路を、受信部と、第２の負荷回路と、第３の負荷回路とし、制御部が動作が有効となる期間を調整することで、送信部が消費する電流と同じ電流を送信部が動作しない期間でも消費させることができる。また、第２の負荷回路と、第３の負荷回路を抵抗とスイッチング素子で構成すれば、第２，３の負荷回路に流れる電流量は過渡的とならないため、負荷回路を受信部としたときよりも、電流の制御を容易に行うことができる。
【００２３】
本願の第６の発明は、送信部と他の回路とが搭載される基板は、送信部に隣接させて他の回路が配置されていることを特徴としたものである。
【００２４】
送信部と他の回路とが基板に隣接して配置されているので、電流の時間的変化に伴う磁界の発生を抑制することができる。
【００２５】
本願の第７の発明は、電波を送信する送信部と、送信部を動作させる送信部有効信号を生成する制御部とを有する無線電話装置の消費電流制御方法において、制御部が、送信部有効信号を無効とする期間に、送信部が消費する電流と同じ消費電流となるように、他の回路を動作させる信号を有効とすることを特徴としたものである。
【００２６】
制御部が、送信部有効信号が無効となる期間に、送信部が消費する電流と同じ消費電流となるように、他の回路を動作させる信号を有効として生成するので、送信部と同じ電流量が他の回路により、送信部が動作しないときも消費されるので、電流消費の時間的変化を抑制することができる。従って、平滑コンデンサのような大きな部品を搭載することなく消費電流の時間的変化を抑制することができるので、難聴者にも音声が聞きやすい無線電話装置とすることができる。
【００２７】
本願の第８の発明は、制御部が、送信部が消費する電流と、他の回路が消費する電流とのそれぞれの消費量が略５０％となるタイミングが同じとなるように、送信部有効信号と
他の回路を動作させる信号とを調整することを特徴としたものである。
【００２８】
制御部が、送信部有効信号が有効となり送信部が動作し始めるときと、送信部有効信号が無効となって動作が停止するときの消費電流の遅延に応じて、他の回路を有効または無効とするので、送信部と同じ消費電流となる他の回路との間の消費電流量の時間的なギャップを抑制することができる。
【００２９】
本願の第９の発明は、制御部が、他の回路として、電波を受信する受信部と、送信部が消費する電流と受信部が消費する電流との差を消費する第１の負荷回路とに対し、受信部を動作させる受信部有効信号と、第１の負荷回路を動作させる第１の負荷有効信号とを生成し、送信部有効信号が無効となる期間に、受信部有効信号および負荷有効信号を有効とすることを特徴としたものである。
【００３０】
送信部と同じ消費電流となる他の回路を、受信部と、送信部の消費電流から受信部の消費電流との差を消費する第１の負荷回路としたことで、送信部と同じ消費電流量となる回路を容易に構成することができる。またダミー回路となる第１の負荷回路の消費する電流量は、受信部の消費電流との合計が、送信部の消費電流となればよいので、第１の負荷回路の消費電流を減らすことができ、発熱を抑制することができる。
【００３１】
本願の第１０の発明は、制御部が、他の回路として、電波を受信する受信部と、送信部が消費する電流と同じ電流を消費する第２の負荷回路と、送信部が消費する電流と受信部が消費する電流との差を消費する第３の負荷回路とに対し、受信部を動作させる受信部有効信号と、第２の負荷回路を動作させる第２の負荷有効信号と、第３の負荷回路を動作させる第３の負荷有効信号とを生成し、送信部有効信号が無効となる期間に、受信部有効信号と、第２の負荷有効信号と、第３の負荷有効信号とを有効とすることを特徴としたものである。
【００３２】
送信部と同じ消費電流となる他の回路を、受信部と、第２の負荷回路と、第３の負荷回路とし、制御部が動作が有効となる期間を調整することで、送信部が消費する電流を同じ電流を送信部が動作しない期間でも消費させることができる。また、第２の負荷回路と、第３の負荷回路を抵抗とスイッチング素子で構成すれば、第２，３の負荷回路に流れる電流量は過渡的とならないため、負荷回路を受信部としたときよりも、電流の制御を容易に行うことができる。
【００３３】
（実施の形態１）
本発明の実施の形態に係る無線電話装置の一例である携帯電話装置の構成を、図１から図３に基づいて説明する。図１は、本発明の実施の形態に係る無線電話装置の一例である携帯電話装置を説明する図である。図２は、本発明の実施の形態に係る無線電話装置に用いられる負荷回路の一例を説明する図である。図３は、本発明の実施の形態に係る無線電話装置の基板に配置される送信部、受信部および負荷回路を説明する図である。
【００３４】
携帯電話装置１は、音声データを圧縮してデジタルで基地局と通信を行っている。この通信は、基地局へ電波を送信する送信スロットと、基地局から受信する受信スロットとを交互に繰り返す時分割スロットで行われている。
【００３５】
図１に示すように、携帯電話装置１は、図示しない基地局へ電波を送信する送信部２と、基地局から送信された電波を受信する受信部３と、電流を消費するダミー回路である第１の負荷回路４と、これらの回路の動作を制御する制御部５と、これらの回路の電源となる電池６とを備えている。
【００３６】
携帯電話装置１は、電話番号や文字を入力する数字キー、機能キー、文字や数字を表示する表示パネル、音声を出力するスピーカ、電波送受信に使用するアンテナ、また補聴器のピックアップコイルと電磁結合するボイスコイルなどを備えているが、図１においては省略している。
【００３７】
送信部２は、入力した送信データを変調処理し、変調処理した信号を周波数変換して増幅して電波として基地局へアンテナを介して送信する回路である。送信部２は、基地局へ電波を送信する際には、略３００ｍＡ程度を消費する。
【００３８】
受信部３は、アンテナより入力した電波を増幅し、周波数変換して復調する回路である。受信部３は、基地局から送信された電波を受信する際には、略１００ｍＡ程度を消費する。
【００３９】
第１の負荷回路４は、送信部２が消費する電流と、受信部３が消費する電流との差を消費する回路である。ここで第１の負荷回路４について図２に基づいて詳細に説明する。
【００４０】
図２に示すように、第１の負荷回路４は、電流が流れることで電流を消費する負荷抵抗４ａと、負荷抵抗４ａにコレクタが接続され、電池６にエミッタが接続されたトランジスタ４ｂを備えている。このトランジスタ４ｂは、負荷抵抗４ａへ電池６からの電流を流すスイッチング素子である。
【００４１】
また、制御部５から後述する第１の負荷有効信号を入力してトランジスタ４ｂの有効、無効の切り替えを行うトランジスタ４ｃを備えている。このトランジスタ４ｃのコレクタと、トランジスタ４ｂのベースとの間には、流れる電流を制限する抵抗４ｄが設けられている。そして、その抵抗４ｄと電池６との間に、同様に、流れる電流を制限する抵抗４ｅが設けられている。
【００４２】
負荷抵抗４ａは、４個の抵抗が並列接続されている。これは電流を消費する際に発生する発熱に耐えうるような定格電力を有する抵抗を用いることになると、比較的大きな定格値の抵抗を選択する必要がある。そこで、必要な電流を消費するに合致するように比較的大きな定格値の抵抗を並列接続して調整している。本実施の形態では、６８Ω，０．２５Ｗを４個並列接続している。この抵抗は、１個で発熱に耐えうる定格電力を有するものであれば並列接続とせずに、１個の抵抗で負荷抵抗４ａを構成するようにしてもよい。
【００４３】
制御部５は、送信部２を動作させる送信部有効信号と、受信部３を動作させる受信部有効信号と、第１の負荷回路４を動作させる第１の負荷有効信号を生成する機能を備えている。
【００４４】
この送信部有効信号は、制御部５と送信部２とを接続する送信部イネーブル線５ａにより通知される。また受信部有効信号は、制御部５と受信部３とを接続する受信部イネーブル線５ｂにより通知される。そして第１の負荷有効信号は、制御部５と第１の負荷回路４とを接続する負荷回路イネーブル線５ｃにより通知される。
【００４５】
次に、この送信部２と受信部３と第１の負荷回路４とが搭載される基板の配置について説明する。
【００４６】
図３に示すように、携帯電話装置１の回路部品は、配線パターンが形成された基板７に搭載される。基板７は、送信部２と、送信部２が消費する電流と同じ消費電流となるようにした受信部３および第１の負荷回路４とを搭載している。この送信部２と受信部３と第１の負荷回路４とは図３では図示しない電池６に接続され、基板７に形成された電源パタ
ーン７ａにより電流が供給される。
【００４７】
第１の負荷回路４は、送信部２と受信部３とを搭載した側とは反対側となる面に搭載されている。これは、送信部２に対して、受信部３と、第１の負荷回路４をなるべく近くに配置することで、それぞれの接続される電源パターン７ａからの線長を短くすることができる。電源パターン７ａからの線長を短くすることで、消費電流の時間的変化に応じた磁界の発生を少ないものとすることができる。
【００４８】
図３に示すように、本実施の形態の携帯電話装置１では、図示しないアンテナが、操作者が耳に当てた状態で、上部から突出して設けられているので、アンテナの近傍となる基板７の位置に配置されている。従って、スピーカ８の近くに送信部２が配置されることになるので、送信部２に隣接させて受信部３と第１の負荷回路４とを配置させている。
【００４９】
しかし、消費電流の時間的変化に伴う磁界の発生を少ないものとするためには、送信部２に、受信部３および第１の負荷回路４を隣接して配置すればよいので、送信部２は図３に示される位置に限定されるものではない。また第１の負荷回路４は、送信部２が搭載された基板７の反対側となる面に搭載されているが、同じ面に搭載されていても、隣接していればよい。
【００５０】
以上のように構成される本実施の形態に係る携帯電話装置の動作を図１から図６に基づいて説明する。図４は、本発明の実施の形態に係る携帯電話装置の動作を説明するタイミングチャートである。図５は、送信部有効信号の電圧波形と、第１の負荷有効信号の電圧波形と、送信部が消費する電流波形と、負荷回路が消費する電流波形とを表し、送信部を動作させるときの波形図である。図６は、送信部有効信号の電圧波形と、第１の負荷有効信号の電圧波形と、送信部が消費する電流波形と、負荷回路が消費する電流波形とを表し、送信部を停止させるときの波形図である。
【００５１】
まず、制御部５が生成する送信部有効信号と、受信部有効信号と、第１の負荷有効信号のタイミングを説明する。
【００５２】
図４に示すように、送信スロットの電波を送信する期間ＴTXでは、送信部２から基地局へ送信データを電波として送信するために、制御部５は送信部２を動作させる必要がある。そこで、制御部５は、送信スロットで送信部２を動作させる送信部有効信号を有効として送信部イネーブル線５ａを介して通知する。制御部５は、送信部有効信号が有効の状態としたときは、受信部有効信号および第１の負荷有効信号は無効の状態とする。
【００５３】
図２に示すように、第１の負荷有効信号が無効の状態のときは、トランジスタ４ｃがＯＦＦの状態である。つまり、電池６からの電流がトランジスタ４ｃのベースを流れないので、トランジスタ４ｂのベース、エミッタ間の電圧は同じとなるので、トランジスタ４ｂはＯＦＦの状態となる。従って電池６と抵抗４ｅとは切り離された状態である。
【００５４】
図４に戻って、有効とした送信部有効信号を受けた送信部２は、送信データを電波としてアンテナを介して送信する。その際の消費電流の値は、ＩTXとなる。
【００５５】
そして、制御部５は、所定の期間、送信部２を動作させると送信部有効信号を無効として送信部２へ送信部イネーブル線５ａを介して通知するとともに、受信部３と、第１の負荷回路４とを動作させる受信部有効信号と、第１の負荷有効信号とを有効として、それぞれ受信部イネーブル線５ｂと、第１の負荷回路イネーブル線５ｃとを介して通知する。
【００５６】
無効とした送信部有効信号を受けた送信部２は、電波の送信を停止する。そして有効と
して受信部有効信号を受けた受信部３は、基地局からの電波を受信するように動作する。
【００５７】
しかし、受信スロットでない期間ＴD1に受信したデータは、動作に影響がないように受信部３から出力されても無視される。
【００５８】
図２に示すように、第１の負荷有効信号が有効となることで、トランジスタ４ｃがＯＮの状態となる。つまり、電池６からの電流はトランジスタ４ｃのベースを流れるので、トランジスタ４ｂのベース、エミッタ間の電圧は、約０．７Ｖの電圧となり、トランジスタ４ｂはＯＮの状態となる。従って電池６と抵抗４ｅとは接続された状態となるので、電池６からの電流は、トランジスタ４ｂを介して負荷抵抗４ａへ流れる。
【００５９】
このように、送信部有効信号が無効となる送信部２が動作しないときに、受信部３と第１の負荷回路４とを動作させ電流を消費させる。図４に示すように、第１の負荷回路４は、送信部２が消費する電流と、受信部３が消費する電流との差を消費する回路としているので、この際の消費電流の値Ｉは、第１の負荷回路４が消費する電流値ＩD1と受信部２が消費する電流値ＩRXとの和となるのでＩTXと等しくなる。つまり電流消費の時間的変化を抑制することができるので、磁界の変動による難聴者への聴き取りにくさを抑止することができる。
【００６０】
そして受信スロットの基地局からデータが電波で送信される期間ＴRXとなっても、制御部５は、引き続き受信部３を動作させる受信部有効信号と、第１の負荷回路４を動作させる第１の負荷有効信号を有効としているので、消費電流の時間的変化はない。
【００６１】
受信スロットの期間ＴRXにデータを受信した受信部３から出力されたデータが音声データであれば、制御部５の制御により音声として出力するようにスピーカ８を鳴らす。またボイスコイル８ａに音声に応じた電流を流す。受信スロットの基地局から電波が送信されない期間であるＴD2の制御部５の制御は、ＴD1と同様であるので省略する。このように送信スロットと受信スロットとを繰り返す。
【００６２】
次に、制御部５が生成する送信部有効信号と、第１の負荷有効信号のタイミングを図５に基づいて、更に詳細に説明する。
【００６３】
図５に示すように、送信部２を動作させるときに、制御部５は送信部有効信号を有効とする。この場合、有効とは電圧を「Ｌ」から「Ｈ」とすることを示す。制御部５は、送信部有効信号を有効とするとともに、第１の負荷有効信号および図４では図示していないが受信部有効信号を無効とする。
【００６４】
送信部有効信号を有効とすると、送信部２内の信号処理を行う制御ＩＣ（Ｉｎｔｅｇｒａｔｅｄ  Ｃｉｒｃｕｉｔ）が、動作を開始してから処理を行うことができるまでに時間を要する。従って、図５に示されるように、送信部２の消費電流波形は、徐々に消費電流が増加するような波形となる。一方、第１の負荷回路４は、第１の負荷有効信号を無効とすると、電流が流れる経路には、負荷抵抗４ａとトランジスタ４ｂしかないため、トランジスタ４ｂ，４ｃのスイッチングに要する遅延はあるものの、急峻に電流が流れなくなるような消費電流の波形となる。
【００６５】
制御部５が送信部有効信号と、第１の負荷有効信号とを同時に切り替えると、送信部２が消費する電流と、第１の負荷回路４および受信部３が消費する電流の和との間に時間的な谷間ができる。この時間的な谷間は、消費電流の時間的変化を意味するので送信部２から磁界が発生してしまう。従って、制御部５は、送信部有効信号を有効とするタイミングに対して、負荷有効信号を無効とするタイミングを、少し遅延（Ｔdelay1）させる。
【００６６】
このタイミングは、それぞれの電流値が最大値に対して略５０％となるタイミングと同じとするのが望ましい。こうすることで、送信部２の消費電流は増加して、第１の負荷回路４および受信部３の消費電流は減少していくので、送信部２と、第１の負荷回路４と、受信部３の消費電流の和を一定に近づけることができ、携帯電話装置１の消費電流の時間的変化を抑制することができる。
【００６７】
本実施の形態に係る携帯電話装置１では、第１の負荷回路４を容易に構成できるように抵抗で電流を消費させるようにしたため、消費電流波形が急峻に変化するものとなっているが、送信部２が消費する電流値５０％のタイミングと、第１の負荷回路４が消費する電流値５０％のタイミングとが同じとなるように、制御部５を調整している。
【００６８】
図６に示すように、送信部の動作を停止させるときに、制御部５は送信部有効信号を無効とする。制御部５は、送信部有効信号を無効とするとともに、第１の負荷有効信号および図６では図示していないが受信部有効信号を有効とする。
【００６９】
送信部２の動作を動作させるために、送信部有効信号を有効としたときと同様に、送信部有効信号を無効とするタイミングに対して、第１の負荷有効信号と受信部有効信号の無効を、Ｔdelay2ほど遅延させて、送信部２の減少する消費電流と、第１の負荷回路４および受信部３の増加する消費電流との和を一定に近づけることができ、携帯電話装置１の消費電流の時間的変化を抑制している。
【００７０】
このように、第１の負荷回路４を抵抗とトランジスタとで構成しているため、基板７に搭載する面積を小さくすることができるので、小型化、軽量化を図ることができる。
【００７１】
（実施の形態２）
本発明の実施の形態２に係る無線電話装置の一例である携帯電話装置の構成を図７に基づいて説明する。図７は本発明の実施の形態２に係る無線電話装置の一例である携帯電話装置を説明する図である。なお、図７において、図１の送信部２、受信部３、電池６は同じ構成であるので、同符号を付して説明を省略する。
【００７２】
図７に示すように、携帯電話装置１５は、第２の負荷回路１６と、第３の負荷回路１７とを備えている。第２の負荷回路１６は、送信部２が消費する電流と同じ電流を消費する回路である。第３の負荷回路１７は、送信部２が消費する電流と、受信部３が消費する電流との差を消費する回路である。
【００７３】
この第２の負荷回路１６と第３の負荷回路１７とは、実施の形態１で図２を用いて説明した回路の負荷抵抗４ａの抵抗値を変更することで対応が可能である。
【００７４】
第２の負荷回路１６と第３の負荷回路１７は、制御部１８とそれぞれ第２、第３の負荷回路イネーブル信号線１８ａ，１８ｂとで接続されている。制御部１８から第２の負荷回路イネーブル信号線１８ａを介して第２の負荷有効信号の有効が通知されることで、第２の負荷回路１６が動作する。また制御部１８から第３の負荷回路イネーブル信号線１８ｂを介して第３の負荷有効信号の有効が通知されることで、第３の負荷回路１７が動作する。この第２の負荷有効信号および第３の負荷有効信号を制御部１８は生成する機能を備えている。
【００７５】
以上のように構成される本発明の実施の形態２に係る無線電話装置の一例である携帯電話装置の動作を図８に基づいて説明する。図８は本発明の実施の形態２に係る無線電話装置の動作を説明するタイミングチャートである。
【００７６】
図８に示すように、送信スロットの電波を送信する期間ＴTXでは、送信部２から基地局へ送信データを電波として送信するために、制御部１８は送信部２を動作させる。制御部１８は、送信スロットで送信部２を動作させる送信部有効信号を有効として送信部イネーブル線５ａを介して通知する。制御部５は、送信部有効信号が有効の状態としたときは、受信部有効信号、第２の負荷有効信号、第３の負荷有効信号は無効の状態とする。
【００７７】
有効とした送信部有効信号を受けた送信部２は、送信データを電波としてアンテナを介して送信する。その際の消費電流の値は、ＩTXとなる。
【００７８】
そして、制御部１８は、所定の期間、送信部２を動作させると送信部有効信号を無効として送信部２へ送信部イネーブル線５ａを介して通知するとともに、第２の負荷回路１６を動作させる第２の負荷有効信号を有効として、第２の負荷回路イネーブル線１８ａとを介して通知する。
【００７９】
第２の負荷有効信号が有効となることで、送信部有効信号が無効となる期間の一部であるＴD1に、第２の負荷回路１６を動作させ電流を消費させる。第２の負荷回路１６は、送信部２と同じ電流を消費する回路としているので、この際の消費電流の値Ｉは、第１の負荷回路４が消費する電流値ＩD2となるのでＩTXと等しくなる。つまり電流消費の時間的変化を抑制することができるので、磁界の変動による難聴者への聴き取りにくさを抑止することができる。
【００８０】
そして受信スロットの基地局からデータが電波で送信される期間ＴRXとなると、制御部５は、受信部３を動作させる受信部有効信号と、第３の負荷回路１７を動作させる第３の負荷有効信号を有効としているので、消費電流の時間的変化を少ないものとすることができる。
【００８１】
受信スロットの期間ＴRXにデータを受信した受信部３から出力されたデータが音声データであれば、制御部１８の制御により音声として出力するようにスピーカ８を鳴らす。またボイスコイル８ａに音声に応じた電流を流す。受信スロットの基地局から電波が送信されない期間であるＴD2の制御部５の制御は、ＴD1と同様であるので省略する。このように送信スロットと受信スロットとを繰り返す。
【００８２】
このように、送信部２が動作しない期間において、送信部２が消費する電流と同じとなるように、他の回路である第２の負荷回路１６と第３の負荷回路１７とを動作させることで、消費電流の時間的変化を抑制することができる。
【００８３】
以上、本発明の実施の形態について説明してきたが、本発明は前記実施の形態に限定されるものではない。例えば、本実施の形態１，２では携帯電話装置を例に説明した。しかし、送信部および受信部を有する電話装置であれば適用は可能なので、コードレス電話機の子機はもちろんのこと、親機にも適用は可能である。
【００８４】
また、送信部と同じ電流量を消費するように、実施の形態１では受信部と第１の負荷回路とで、第２の実施の形態では受信部と第２負荷回路と第３の負荷回路とで、他の回路を構成するようにしたが、他の回路を無線電話装置に搭載される他の機能を動作する回路を組み合わせるようにして制御部が動作を有効とする信号を生成するようにしてもよい。そうすることで、送信部が動作するときと、停止するときの消費電流が変化する際の時間的なギャップを埋めるように調整することも可能である。
【産業上の利用可能性】
【００８５】
本発明は、小型化、軽量化を図りつつ、ピックアップコイルを備えた補聴器を使用する難聴者にも音声を聞きやすくすることができるので、音声やデータの通信を電波による送受信で行い、補聴器に備えられたピックアップコイルと磁気結合するためのボイスコイルを備えた無線電話装置に好適である。
【図面の簡単な説明】
【００８６】
【図１】本発明の実施の形態に係る無線電話装置の一例である携帯電話装置を説明する図
【図２】本発明の実施の形態に係る無線電話装置に用いられる負荷回路の一例を説明する図
【図３】本発明の実施の形態に係る無線電話装置の基板に配置される送信部、受信部および負荷回路を説明する図
【図４】本発明の実施の形態に係る携帯電話装置の動作を説明するタイミングチャート
【図５】送信部有効信号の電圧波形と、第１の負荷有効信号の電圧波形と、送信部が消費する電流波形と、負荷回路が消費する電流波形とを表し、送信部を動作させるときの波形図
【図６】送信部有効信号の電圧波形と、第１の負荷有効信号の電圧波形と、送信部が消費する電流波形と、負荷回路が消費する電流波形とを表し、送信部を停止させるときの波形図
【図７】本発明の実施の形態２に係る無線電話装置の一例である携帯電話装置を説明する図
【図８】本発明の実施の形態２に係る無線電話装置の動作を説明するタイミングチャート
【符号の説明】
【００８７】
１    携帯電話装置
２    送信部
３    受信部
４    第１の負荷回路
４ａ    負荷抵抗
４ｂ，４ｃ    トランジスタ
４ｄ，４ｅ    抵抗
５    制御部
５ａ    送信部イネーブル線
５ｂ    受信部イネーブル線
５ｃ    第１の負荷回路イネーブル線
６    電池
７    基板
７ａ    電源パターン
８    スピーカ
８ａ    ボイスコイル
１５    携帯電話装置
１６    第２の負荷回路
１７    第３の負荷回路
１８    制御部
１８ａ    第２の負荷回路イネーブル線
１８ｂ    第３の負荷回路イネーブル線
【図１】
2006050054.tif 000003
【図２】
2006050054.tif 000004
【図３】
2006050054.tif 000005
【図４】
2006050054.tif 000006
【図５】
2006050054.tif 000007
【図６】
2006050054.tif 000008
【図７】
2006050054.tif 000009
【図８】
2006050054.tif 000010